(57)【特許請求の範囲】
【請求項１】
溝型フレーム材を、その底面部が突出するようにしてコンクリート単版に埋め込むとともに、その溝型フレーム材の溝部に設けたインサートナットの一端部を、溝型フレーム材の底面部に形成した開口から臨ませるようにした建物用外壁材であって、前記コンクリート単版に埋め込んだ単層の鉄筋に、溝型フレーム材の側面部先端を溝部外側に向けて折曲してなる一対のフランジを固定するようにしたことを特徴とする建物用外壁材。
【請求項２】
インサートナットの他端部を、コンクリート単版に埋め込むようにした請求項１記載の建物用外壁材。
【請求項３】
コンクリート単版の厚みを約５０ｍｍに設定した請求項１又は２記載の建物用外壁材。
【請求項４】
コンクリート単版の小口側端部を中央部に比べて厚肉とした請求項１乃至３のいずれかに記載の建物用外壁材。
【発明の詳細な説明】
【０００１】
【発明の属する技術分野】
この発明は、主としてカーテンウオール外壁に用いる建物用外壁材に関する。
【０００２】
【従来の技術】
一般に、３階建て住宅のカーテンウオール外壁には、その外壁強度を満足させるために、図６に示すような外壁材(１)を用いている。この外壁材(１)は、厚さ７５ｍｍのコンクリート単版(２)に、２層の鉄筋(３)(３)及びインサートナット(４)(４)を埋設してなる。
【０００３】
一方、２階建て住宅の外壁には、図７に示すような外壁材(５)を用いている。この外壁材(５)は、厚さ５０ｍｍのコンクリート単版(６)に、単層の鉄筋(７)及びＣ型鋼(８)を埋設してなる。
【０００４】
【発明が解決しようとする課題】
３階建て住宅のカーテンウオール外壁に用いる外壁材(１)は、２階建て住宅の外壁に用いる外壁材(５)と比べて、コンクリート単版(２)が厚く、重厚な構造となっており、このため製造コストが高騰していた。しかし、２階建て住宅の外壁に用いる外壁材(５)を、そのまま３階建て住宅のカーテンウオール外壁に用いるには、強度的にも構造的にも無理があった。
【０００５】
そこで、この発明は、上記不具合を解消して、コンクリート単版の厚みを薄くしても、強度が高く、３階建て住宅のカーテンウオール外壁等に用いることができる建物用外壁材の提供を目的とする。
【０００６】
【課題を解決するための手段】
上記の課題を解決するため、この発明の建物用外壁材は、溝型フレーム材を、その底面部が突出するようにしてコンクリート単版に埋め込むとともに、その溝型フレーム材の溝部に設けたインサートナットの一端部を、溝型フレーム材の底面部に形成した開口から臨ませるようにした建物用外壁材であって、前記コンクリート単版に埋め込んだ単層の鉄筋に、溝型フレーム材の側面部先端を溝部外側に向けて折曲してなる一対のフランジを固定するようにしたことを特徴とする。
【０００７】
そして、インサートナットの他端部を、コンクリート単版に埋め込むようにしている。
【０００８】
また、上記外壁材において、コンクリート単版の厚みを約５０ｍｍに設定している。さらに、コンクリート単版の小口側端部を中央部に比べて厚肉としている。
【０００９】
【発明の実施の形態】
以下、この発明の実施形態を図面に基づいて詳細に説明する。図１は、この発明の一実施形態に係る建物用外壁材(10)の要部縦断面図を示している。図において、(11)は、長方形状に成型された厚さ約５０ｍｍのコンクリート単版であって、このコンクリート単版(11)には、溝型フレーム材(12)及び単層のメッシュ状鉄筋(13)が埋設されている。
【００１０】
溝型フレーム材(12)は、図２に示すように、その底面部(14)の要所要所に適宜間隔をあけて開口(15)(15)…が形成されており、また一対の側面部(16)(16)の先端が溝部(17)の外側に向けて折曲されて一対のフランジ(18)(18)とされている。そして、この溝型フレーム材(12)は、その底面部(14)が突出するようにしてコンクリート単版(11)に埋め込まれ、そのフランジ(18)(18)がメッシュ状鉄筋(13)に溶接等によって固定されている。
【００１１】
(20)は、溝型フレーム材(12)の溝部(17)内に設けた有底筒状のインサートナットである。このインサートナット(20)は、ねじ孔を利用して梁等の躯体側に外壁材(10)を取り付けるためのもので、そのねじ孔が開放している一端部が溝型フレーム材(12)の開口(15)(15)から臨むようにして、一端部の端面を溝型フレーム材(12)の底面部(14)に当接させた状態で、溶接等によって溝型フレーム材(12)に固定されている。また、インサートナット(20)の閉塞側の他端部は、コンクリート単版(11)に埋め込まれた状態となっている。
【００１２】
上記構成の外壁材(10)の製造に際しては、一対の溝型フレーム材(12)(12)、複数のインサートナット(20)(20)…、及びメッシュ状鉄筋(13)を溶接等によって互いに固定し、図３に示すような組品(30)とする。そして、コンクリートを流し込んだ図示しない型枠内に組品(30)を挿入するか、或いは、組品(30)を挿入した型枠内にコンクリートを流し込んで、コンクリートを一定時間養生させた後に脱型を行うことで、図４に示すように、組品(30)がコンクリート単版(11)に埋設した外壁材(10)を得ることができる。
【００１３】
このような外壁材(10)においては、フランジ(18)(18)付き溝型フレーム材(12)を、その底面部(14)が突出するようにしてコンクリート単版(11)に埋め込んでいることから、溝型フレーム材(12)の溝部(17)内にもコンクリートが充填した状態となり、溝型フレーム材(12)がコンクリート単版(11)に強固に固定されて、強度の高い外壁材(10)とすることができる。しかも、溝型フレーム材(12)に固定したインサートナット(20)(20)…の他端部が、コンクリート単版(11)に埋め込まれ、開放側の一端部が、溝型フレーム材(12)の開口(15)(15)…から臨むようにして設けていることから、梁等への係合も支障なく行うことができる。
【００１４】
従って、外壁材(10)のコンクリート単版(11)の厚さを、従来の２階建て住宅の外壁用の外壁材(５)と同様に５０ｍｍ程度としているにもかかわらず、その外壁材(10)の強度を、３階建て住宅のカーテンウオール外壁用の外壁材(１)と同等の強度とすることができ、外壁材(10)を、強度的にクリアした状態で３階建て住宅のカーテンウオール外壁用として用いることができる。なお、溝型フレーム材(12)の突出量を含めた外壁材(10)全体の厚みは、３階建て住宅のカーテンウオール外壁用の外壁材(１)の厚みとほぼ同じ７５ｍｍ程度に設定されており、これにより外壁材(１)と同様にして梁等に取り付けることができる。
【００１５】
図５は、他の実施形態に係る外壁材(30)を示しており、この外壁材(30)は、そのコンクリート単版(11)の小口側端部(31)の肉厚が約７５ｍｍとされて、肉厚が５０ｍｍの中央部よりも厚肉とされている。すなわち、小口側端部(31)が溝型フレーム材(12)の突出量と同じだけその突出方向に張り出して、小口端面側から溝型フレーム材(12)が見えないようになっている。従って、この外壁材(30)の小口端面を意匠面とすることができ、サッシ(35)等の開口部周りに配置可能な外壁材(30)とすることができる。
【００１６】
なお、この発明は、上記実施形態に限定されるものではなく、この発明の範囲内で上記実施形態に多くの修正及び変更を加え得ることは勿論である。
【００１７】
【発明の効果】
以上の説明から明らかなように、この発明では、溝型フレーム材を、その底面部が突出するようにしてコンクリート単版に埋め込んでいるので、溝型フレーム材の溝部内にもコンクリートが充填することになり、コンクリート単版の厚みを薄くしても、強度の高い外壁材とすることができる。しかも、溝型フレーム材の溝部には、その開口に臨ませるようにして躯体取付用のインサートナットを設けていることから、梁等への外壁材の取り付けもインサートナットのねじ孔を利用して支障なく行うことができる。従って、この外壁材を、従来の重厚な外壁材の代わりに、３階建て住宅のカーテンウオール外壁等の外壁材として用いることができ、大幅なコストダウンを図ることができる。
【００１８】
さらに、コンクリート単版には、単層の鉄筋を埋め込んでいるので、２層の鉄筋を埋め込むときと比べて、製造コストをさらに削減することができる。
【００１９】
さらにまた、コンクリート単版の小口側端部を中央部に比べて厚肉とすることで、その小口端面を意匠面とすることができ、サッシや出入り口周辺へ配置可能な外壁材とすることができる。
【図面の簡単な説明】
【図１】この発明の一実施形態に係る外壁材の要部縦断面図である。
【図２】溝型フレーム材、インサートナット及び鉄筋の分解斜視図である。
【図３】同じくその組品を示す斜視図である。
【図４】外壁材の斜視図である。
【図５】他の実施形態に係る外壁材の要部縦断面図である。
【図６】従来の３階建て住宅のカーテンウオール外壁に用いる外壁材の要部縦断面図である。
【図７】従来の２階建て住宅の外壁に用いる外壁材の要部縦断面図である。
【符号の説明】
(10)(30)  外壁材
(11)  コンクリート単版
(12)  溝型フレーム材
(13)  鉄筋
(14)  底面部
(15)  開口
(17)  溝部
(18)  フランジ
(20)  インサートナット
(31)  小口側端部
【図１】
0003923236.tif 000002
【図２】
0003923236.tif 000003
【図３】
0003923236.tif 000004
【図４】
0003923236.tif 000005
【図５】
0003923236.tif 000006
【図６】
0003923236.tif 000007
【図７】
0003923236.tif 000008